(57)【要約】【課題】多機能性（多様性）及び発展性を高めるとともに、コスト面及び操作面における優位性を高める。【解決手段】マウス２を備えるユーザコンピュータ３を使用し、このユーザコンピュータ３に、マウス２に触れた手Ｈの指紋を検出し、かつ予め登録した指紋データＤｒと照合することにより人を識別する識別機能Ｆ１と、ディスプレイ４にタイムレコーダ画面Ｖａを表示し、かつこのタイムレコーダ画面Ｖａからマウス２を用いて入力した情報に基づいて少なくとも時刻を含むタイムレコーダデータを得るタイムレコーダ機能Ｆ２を設ける。【選択図】図１
2004110663.tif 000002
【特許請求の範囲】
【請求項１】
マウスを備えるコンピュータを使用し、このコンピュータに、前記マウスに触れた手の指紋を検出し、かつ予め登録した指紋データと照合することにより人を識別する識別機能と、ディスプレイにタイムレコーダ画面を表示し、かつこのタイムレコーダ画面から前記マウスを用いて入力した情報に基づいて少なくとも時刻を含むタイムレコーダデータを得るタイムレコーダ機能を設けたことを特徴とするタイムレコーダシステム。
【請求項２】
前記コンピュータは、少なくとも情報表示画面，広告表示画面，商品注文画面の一又は二以上を、前記タイムレコーダ画面と一緒に、前記ディスプレイに表示する機能を有することを特徴とする請求項１記載のタイムレコーダシステム。
【請求項３】
前記コンピュータ（ユーザコンピュータ）と通信可能なホストコンピュータを備えることを特徴とする請求項２記載のタイムレコーダシステム。
【請求項４】
前記ホストコンピュータは、前記ディスプレイに表示するデータを前記ユーザコンピュータに送信する機能を有することを特徴とする請求項３記載のタイムレコーダシステム。
【請求項５】
前記ホストコンピュータは、前記ユーザコンピュータからタイムレコーダデータを受信し、このタイムレコーダデータに基づくデータ処理を行う機能を有することを特徴とする請求項３記載のタイムレコーダシステム。
【請求項６】
前記ホストコンピュータは、前記商品注文画面から入力された注文情報を受信し、発注情報を関係先に送信する機能を有することを特徴とする請求項３記載のタイムレコーダシステム。
【発明の詳細な説明】
【０００１】
【発明の属する技術分野】
本発明は、会社等に設置することにより少なくともタイムレコーダとして機能させることができるタイムレコーダシステムに関する。
【０００２】
【従来の技術】
一般に、タイムカードに退出勤時刻等を記録して社員等の勤務状態を管理するタイムレコーダは広く知られている。
【０００３】
ところで、この種のタイムレコーダにより記録されるデータは、勤務状態の管理に加えて給料計算等にも利用されるため、人数が多くなればなるほどデータ処理量も多くなる。このため、従来、タイムレコーダとコンピュータを接続し、相互にデータ送受を行うことにより、管理や計算等におけるデータ処理の高速化や能率化を企図したタイムレコーダシステムも、例えば、特開平５−１１４０６４号公報や特開２００２−２３０６０５号公報等で知られている。
【０００４】
【特許文献１】
特開平５−１１４０６４号公報
【０００５】
【特許文献２】
特開２００２−２３０６０５号公報
【０００６】
【発明が解決しようとする課題】
しかし、上述した従来のタイムレコーダシステムは、次のような問題点があった。
【０００７】
第一に、基本的にはタイムレコーダ機能のみであるため、タイムレコーダに係わる処理の高速化や能率化は図れるものの、タイムレコーダ機能以外の機能を併設するのは容易でなく、多機能性（多様性）及び発展性に劣る。
【０００８】
第二に、タイムレコーダとこれに接続するコンピュータの双方の機器が必要になるとともに、さらにタイムカード或いはＩＤカードを必要とするため、コスト面で不利になる。
【０００９】
第三に、本人を特定するカード等の記録媒体（記憶媒体）を使用するため、この記録媒体に対する書込又は読取を行う煩わしい操作が必要になる。
【００１０】
本発明は、このような従来の技術に存在する課題を解決したものであり、多機能性（多様性）及び発展性を高めるとともに、コスト面及び操作面における優位性を高めることができるタイムレコーダシステムの提供を目的とする。
【００１１】
【課題を解決するための手段及び実施の形態】
本発明に係るタイムレコーダシステム１は、マウス２を備えるコンピュータ３を使用し、コンピュータ３に、マウス２に触れた手Ｈの指紋を検出し、かつ予め登録した指紋データＤｒと照合することにより人を識別する識別機能Ｆ１と、ディスプレイ４にタイムレコーダ画面Ｖａを表示し、かつこのタイムレコーダ画面Ｖａからマウス２を用いて入力した情報に基づいて少なくとも時刻を含むタイムレコーダデータを得るタイムレコーダ機能Ｆ２を設けたことを特徴とする。
【００１２】
これにより、例えば、会社に出勤した社員がマウス２を握り、ディスプレイ４に表示されたタイムレコーダ画面Ｖａの「出勤」ボタンをクリックすれば、タイムレコーダ機能Ｆ２により、クリックした時点の時刻が出勤時刻として読込まれる。また、識別機能Ｆ１により、マウス２を通して当該社員の手Ｈの指紋が検出され、得られた検出データと登録された指紋データＤｒが照合されることにより社員の識別が行われる。
【００１３】
この場合、好適な実施の形態により、コンピュータ３には、少なくとも情報表示画面Ｖｂ，広告表示画面Ｖｃ，商品注文画面Ｖｄの一又は二以上を、タイムレコーダ画面Ｖａと一緒に、ディスプレイ４に表示する機能を設けることができる。また、コンピュータ（ユーザコンピュータ）３には、このユーザコンピュータ３と通信可能なホストコンピュータ５を接続することができるとともに、このホストコンピュータ５には、ディスプレイ４に表示するデータをユーザコンピュータ３に送信する機能，ユーザコンピュータ３からタイムレコーダデータを受信し、このタイムレコーダデータに基づくデータ処理を行う機能，商品注文画面Ｖｄから入力された注文情報を受信し、発注情報を関係先に送信する機能等を設けることができる。
【００１４】
【実施例】
次に、本発明に係る好適な実施例を挙げ、図面に基づき詳細に説明する。
【００１５】
まず、本実施例に係るタイムレコーダシステム１の構成について、図１〜図４を参照して説明する。
【００１６】
図４は、タイムレコーダシステム１の全体の系統図を示す。同図において、３はマウス２を備えるコンピュータ（ユーザコンピュータ）であり、このユーザコンピュータ３は、マウス２の他に、ディスプレイ４，コンピュータ本体１１及びキーボード１２を備える。マウス２，ディスプレイ４及びキーボード１２は、それぞれＵＳＢケーブル等の接続媒体を介してコンピュータ本体１１に接続する。この場合、ディスプレイ４は、液晶パネル或いはプラズマディスプレイ等の薄型ディスプレイを用いることが望ましい。また、特に、マウス２は、このマウス２に触れた手Ｈの指紋を検出する指紋検出部１３（図１）を備える。なお、キーボード１２は無くてもよく、必要に応じて用いることができる。
【００１７】
このユーザコンピュータ３は、例えば、図１に示す設置台２０を利用して所定の場所に設置できる。設置台２０はボックス状に構成し、上面２１の全面はマウスパッドとして形成する。さらに、上面２１の周りはマウス２の落下を防止するフェンス２２により囲むとともに、設置台２０の前面には、開閉式の扉２３，２４を付設する。そして、ユーザコンピュータ３を構成するディスプレイ４は、付属スタンド４ｈを用いて上面２１に設置するとともに、付属スタンド４ｈの前方における上面２１上にマウス２を置く。また、ユーザコンピュータ３を構成するコンピュータ本体１１及びキーボード１２は、設置台２０の内部に棚等を利用して収容する。
【００１８】
一方、ユーザコンピュータ３は、処理機能として、少なくとも図４に示す識別機能Ｆ１，タイムレコーダ機能Ｆ２，情報表示機能Ｆ３，広告表示機能Ｆ４及び商品注文機能Ｆ５を備える。したがって、コンピュータ本体１１には、これらの各機能Ｆ１〜Ｆ５を実行するためのアプリケーションプログラム（ソフトウェア）がインストールされている。
【００１９】
この場合、識別機能Ｆ１は、マウス２の指紋検出部１３により検出された指紋に係る検出データＤｄと予め登録された指紋データＤｒを照合し、マウス２を操作した人（社員）を識別する機能である。したがって、コンピュータ本体１１の内部メモリには、予め、各社員毎の指紋データ（データベース）が登録されている。また、タイムレコーダ機能Ｆ２は、ディスプレイ４の上段に、図２に示すタイムレコーダ画面Ｖａを表示し、このタイムレコーダ画面Ｖａからマウス２を用いて入力した情報に基づいて少なくとも時刻を含むタイムレコーダデータを得る機能である。通常、このタイムレコーダデータには、タイムレコーダ画面Ｖａからマウス２（マウスポインタ）により選択した「出勤」，「退社」，「外出」又は「戻り」の選択データ及びこれらを選択した時点の時刻データが含まれる。したがって、タイムレコーダ画面Ｖａには、図２に示すように、年月日及び時刻を表示する時計表示部Ｘ１，「出勤」ボタンＸ２，「退社」ボタンＸ３，「外出」ボタンＸ４，「戻り」ボタンＸ５，「確認」ボタンＸ６，「取消」ボタンＸ７，氏名（識別結果）ｉ及び選択した各ボタンＸ２…の文字（選択結果）ｊを表示する確認表示部Ｘ８が含まれる。
【００２０】
一方、情報表示機能Ｆ３は、ディスプレイ４の中段に確保した図２に示す情報表示画面Ｖｂに、社内行事や会議等の連絡事項或いは社長訓話等を文字，写真，イラスト，動画等により表示する機能であり、必要により随時更新される。また、広告表示機能Ｆ４は、ディスプレイ４の下段に確保した図２に示す広告表示画面Ｖｃに、会社の近くで営むお店等の広告を表示する機能である。さらに、商品注文機能Ｆ５は、例えば、弁当注文の場合、ディスプレイ４の下端に「弁当」ボタンＸ９を表示し、この「弁当」ボタンＸ９のクリックにより、上述した情報表示画面Ｖｂが図３に示す商品注文画面Ｖｄに切換わるため、この商品注文画面Ｖｄを用いて弁当の注文を受ける機能である。商品注文画面Ｖｄには、お店毎の弁当写真Ｙ１，Ｙ２，Ｙ３，Ｙ４が表示されるため、マウス２により選択することができるとともに、同時に表示されるボタンボードＺ１により、「確認」，「変更」及び「戻る」を選択することができる。
【００２１】
他方、ユーザコンピュータ３は、各種処理を行うホストコンピュータ５に接続する。実施例のホストコンピュータ５は、ユーザコンピュータ３の設置場所（利用会社）とは異なる場所（管理会社３０）に設置した場合を示しており、ユーザコンピュータ３とホストコンピュータ５は、インターネットＮを経由して接続される。なお、ホストコンピュータ５は、ユーザコンピュータ３を設置した利用会社内に設置することによりＬＡＮ等により接続してもよい。ホストコンピュータ５は、少なくともディスプレイ４に表示するデータ、即ち、情報表示画面Ｖｂ，広告表示画面Ｖｃ及び商品注文画面Ｖｄに表示するデータを、ユーザコンピュータ３に送信する機能を有するとともに、上述した商品注文画面Ｖｄから入力された注文情報を受信し、発注情報を関係先、即ち、製造元となる弁当屋及びレストラン等のお店３１ａ，３１ｂ…及び各お店３１ａ，３１ｂ…で製造された弁当を各利用会社に配送する共同配送センタ３２に送信する機能を備える。
【００２２】
次に、本実施例に係るタイムレコーダシステム１における各部の機能（動作）及び使用方法について、図１〜図４及び図５に示すフローチャートを参照して説明する。
【００２３】
本実施例に係るタイムレコーダシステム１は、管理会社３０が行うビジネスモデルとして構築できる。この場合、管理会社３０は、まず、前述した広告表示機能Ｆ４により広告を行うスポンサを募集する。スポンサとしては、ユーザコンピュータ３を設置する利用会社の近くにあり、社員に利用されるお店等が好適である。スポンサからの広告料により、設置する利用会社には、タイムレコーダシステム１におけるユーザコンピュータ３及び必要なソフトウェアを無償で提供する。また、弁当屋及びレストラン等のお店３１ａ，３１ｂ…を募集する。
【００２４】
また、管理会社３０は、ホストコンピュータ５を所有するため、このホストコンピュータ５によりユーザコンピュータ３のディスプレイ４に表示する内容の更新や管理を行うとともに、ユーザコンピュータ３から得る社員の出退社情報に基づく集計や給料計算等のデータ処理業務、さらには弁当の注文代理業務等に関する有料のＡＳＰ事業或いはアウトソーシング事業を行うことができる。
【００２５】
次に、具体的な使用方法及び各部の機能（動作）について説明する。まず、任意の社員が会社（利用会社）に出勤した場合を想定する。なお、ディスプレイ４には、通常、図２に示すタイムレコーダ画面Ｖａ，情報表示画面Ｖｂ及び広告表示画面Ｖｃが同時に表示されている。まず、出勤した社員は、図１に示すマウス２を握り、操作することにより、タイムレコーダ画面Ｖａの「出勤」ボタンＸ２をクリックする（ステップＳ１，Ｓ２）。これにより、ユーザコンピュータ３における識別機能Ｆ１により、マウス２を通して社員の手Ｈの指紋が検出され、指紋に係る検出データＤｄを得る（ステップＳ３）。この検出データＤｄは予め登録された指紋データＤｒと照合され、社員が誰であるか識別される（ステップＳ４）。同時に、「出勤」ボタンＸ２をクリックした時点の時刻が、出勤時刻データとして読込まれる。
【００２６】
そして、確認表示部Ｘ８には、識別された社員の氏名ｉと選択した「出勤」の文字ｊが表示される（ステップＳ５）。この際、指紋が読取れなかった場合には、確認表示部Ｘ８に、その旨が表示される。社員は、確認表示部Ｘ８に表示された内容を確認し、正しくなければ、「取消」ボタンＸ７をクリックし、最初からやり直す（ステップＳ６，Ｓ７，Ｓ１…）。一方、正しければ、「確認」ボタンＸ６をクリックする（ステップＳ６，Ｓ８）。これにより、タイムレコーダとしての操作は終了する。なお、この際に得られたデータは、ユーザコンピュータ３の内部メモリに一旦記憶される。
【００２７】
さらに、弁当を注文する場合には、「弁当」ボタンＸ９をクリックすればよい（ステップＳ９，Ｓ１０）。これにより、図２に示す情報表示画面Ｖｂが図３に示す商品注文画面（弁当注文画面）Ｖｄに切換わる（ステップＳ１１）。商品注文画面Ｖｄには、異なる複数のお店における弁当写真Ｙ１，Ｙ２，Ｙ３，Ｙ４が表示されるため、マウス２により注文したい弁当写真Ｙ１…をクリックする（ステップＳ１２）。この場合、例えば、弁当写真Ｙ１をクリックすれば、商品注文画面Ｖｄには、「Ａ店のお弁当でよろしいですか」の文字が表示されるため、正しいか否か確認する（ステップＳ１３）。この際、変更したい場合には、ボタンボードＺ１における「変更」ボタンをクリックし、再度、弁当写真Ｙ１，Ｙ２，Ｙ３，Ｙ４の選択を行う（ステップＳ１４，Ｓ１０…）。一方、正しければ、ボタンボードＺ１における「確認」ボタンをクリックする（ステップＳ１５）。これにより、弁当の注文は完了し、商品注文画面Ｖｄは図２に示す情報表示画面Ｖｂに切換わる。なお、商品注文画面Ｖｄにおいて、弁当の注文を中止したい場合には、ボタンボードＺ１における「戻る」ボタンをクリックすれば、同様に商品注文画面Ｖｄが情報表示画面Ｖｂに切換わる。また、弁当の注文は、出勤時に拘わりなく、同様の操作を単独で行うことにより注文することができる。したがって、注文受付時間を表示するとともに、注文受付時間を過ぎて操作した場合には注文できない旨の表示を行う。さらに、弁当の注文情報は、後述のようにインターネットＮを経由して、一旦、ホストコンピュータ５に送信されるため、携帯電話１５をインターネットＮに接続し、ホストコンピュータ５にアクセスすれば、外出先等において携帯電話１５からも単独で注文することができる。
【００２８】
ところで、ディスプレイ４には、タイムレコーダ画面Ｖａ，情報表示画面Ｖｂ及び広告表示画面Ｖｃが同時に表示されるため、社員は、情報表示画面Ｖｂにより、社内行事や会議等の連絡事項或いは社長訓話等を、確実に知ることができるとともに、会社にとっては、これらの情報をその都度、別途の掲示板に書込んだり貼出す手間が省ける利点がある。さらに、社員は、広告表示画面Ｖｃにより、会社以外の興味ある情報を知ることができる。通常、広告の場合、新聞，雑誌，チラシ，放送媒体等により行うため、会社の近くで営んでいる小規模の販売店や飲食店等にとっては、コストの割に広告効果を得ることができないが、広告表示画面Ｖｃを用いた広告は、ほとんどの社員が確実に見れる環境にあるため、少ないコストにより極めて高い広告効果を期待できる。
【００２９】
一方、ユーザコンピュータ３は、インターネットＮを経由してホストコンピュータ５に接続されるため、ホストコンピュータ５では、ユーザコンピュータ３に記憶されている社員の出退社情報（タイムレコーダデータ）や弁当の注文情報を受信する。そして、ホストコンピュータ５は、受信した注文情報を、インターネットＮを経由して関係先、即ち、弁当の製造元となる弁当屋及びレストラン等のお店３１ａ，３１ｂ…及び各お店３１ａ，３１ｂ…で製造された弁当を各利用会社に配送する共同配送センタ３２に送信する。このように、ホストコンピュータ５を所有する管理会社３０では、ユーザコンピュータ３から得る社員の出退社情報に基づく集計や給料計算等のデータ処理業務、さらには弁当の注文代理業務等に関する有料のＡＳＰ事業或いはアウトソーシング事業を行うとともに、ホストコンピュータ５により、ユーザコンピュータ３のディスプレイ４に表示する内容の更新や管理を行う。
【００３０】
このように、本実施例に係るタイムレコーダシステム１によれば、ユーザコンピュータ３に識別機能Ｆ１及びタイムレコーダ機能Ｆ２を備えるため、社員がマウス２を握り、例示した「出勤」ボタンＸ２をはじめ、「退社」，「外出」又は「戻り」の各ボタンＸ３…をクリックするのみで必要なタイムレコーダデータを自動で得ることができる。したがって、タイムカード或いはＩＤカードが不要になり、これらのカード（記録媒体，記憶媒体）に対する書込又は読取を行うための煩わしい操作も不要になる。
【００３１】
また、ユーザコンピュータ３自身をそのままタイムレコーダとして機能させるため、タイムレコーダに係わる処理の高速化及び能率化を図れることに加え、コンピュータに対する別途のタイムレコーダは不要となる。しかも、上述したタイムカード或いはＩＤカードが不要になるため、コスト面においても極めて有利となる。
【００３２】
さらに、タイムレコーダシステム１では、タイムレコーダ機能以外に、情報表示機能Ｆ３，広告表示機能Ｆ４，弁当等の商品注文機能Ｆ５をはじめ、他の必要な機能を容易に設けることができるため、多機能性（多様性）及び発展性が飛躍的に高められる。
【００３３】
以上、実施例について詳細に説明したが、本発明はこのような実施例に限定されるものではなく、細部の構成，形状，デザイン，数量，手法等において、本発明の要旨を逸脱することなく、任意に変更，追加，削除することができる。例えば、情報表示画面Ｖｂ，広告表示画面Ｖｃ及び商品注文画面Ｖｄを、タイムレコーダ画面Ｖａと一緒にディスプレイ４に表示する場合を示したが、いずれか一つ又は二つを表示してもよいし、必要により他の画面表示を行ってもよい。特に、商品注文画面Ｖｄは、弁当を例示したが、クリーニング等の他の任意の商品及びサービスを適用することができる。また、ユーザコンピュータ３は、ホストコンピュータ５に接続することなく単独で用いてもよいし、ユーザコンピュータ３自身にホストコンピュータ５の機能を含ませてもよい。特に、情報表示画面Ｖｂに表示する内容の更新は、ユーザコンピュータ３に備えるキーボード１２或いはＬＡＮ接続された利用会社内のパソコン等から任意に書換可能にすることができる。なお、ホストコンピュータ５に対しては、通常、複数のユーザコンピュータ３が接続される。
【００３４】
【発明の効果】
このように、本発明に係るタイムレコーダシステムは、マウスを備えるユーザコンピュータを使用し、このユーザコンピュータに、マウスに触れた手の指紋を検出し、かつ予め登録した指紋データと照合することにより人を識別する識別機能と、ディスプレイにタイムレコーダ画面を表示し、かつこのタイムレコーダ画面からマウスを用いて入力した情報に基づいて少なくとも時刻を含むタイムレコーダデータを得るタイムレコーダ機能を設けたため、次のような顕著な効果を奏する。
【００３５】
（１）　マウスによりクリックするのみで必要なタイムレコーダデータを自動で得れるため、タイムカード或いはＩＤカード等の記録媒体（記憶媒体）を不要にできるとともに、記憶媒体に対する書込又は読取を行う煩わしい操作を不要にできる。
【００３６】
（２）　コンピュータ自身をそのままタイムレコーダとして機能させるため、タイムレコーダに係わる処理の高速化及び能率化を図れることに加え、コンピュータに対する別途のタイムレコーダは不要となり、しかも、タイムカード或いはＩＤカードも不要になるため、コスト面の優位性を高めることができる。
【００３７】
（３）　タイムレコーダ機能以外に、情報表示機能，広告表示機能，商品注文機能をはじめ、他の必要な機能を容易に設けることができるため、多機能性（多様性）及び発展性を飛躍的に高めることができる。
【００３８】
（４）　好適な実施の形態により、ユーザコンピュータと通信可能なホストコンピュータを設け、このホストコンピュータに、ディスプレイに表示するデータをユーザコンピュータに送信する機能，ユーザコンピュータからタイムレコーダデータを受信し、このタイムレコーダデータに基づくデータ処理を行う機能，商品注文画面から入力された注文情報を受信し、発注情報を関係先に送信する機能等を設ければ、有益なビジネスモデルとして構築することができる。
【図面の簡単な説明】
【図１】本発明の好適な実施例に係るタイムレコーダシステムにおけるユーザコンピュータの外観斜視図、
【図２】同ユーザコンピュータにおけるディスプレイの表示画面図、
【図３】同ユーザコンピュータにおけるディスプレイの他の表示画面図、
【図４】同タイムレコーダシステムの全体を示す系統図、
【図５】同タイムレコーダシステムの使用方法を説明するためのフローチャート、
【符号の説明】
１　　タイムレコーダシステム
２　　マウス
３　　コンピュータ
４　　ディスプレイ
５　　ホストコンピュータ
Ｈ　　手
Ｆ１　識別機能
Ｆ２　タイムレコーダ機能
Ｖａ　タイムレコーダ画面
Ｖｂ　情報表示画面
Ｖｃ　広告表示画面
Ｖｄ　商品注文画面
【図１】
2004110663.tif 000003
【図２】
2004110663.tif 000004
【図３】
2004110663.tif 000005
【図４】
2004110663.tif 000006
【図５】
2004110663.tif 000007